(57)【特許請求の範囲】
【請求項１】
感光体を帯電させる帯電器と、感光体上の静電潜像を可視像化する現像器に高圧交流出力を印加するための高圧電源装置において、
外部より入力クロックが供給されるクロック供給回路と、クロック供給回路に接続される帯電側波形成形回路及び現像側波形成形回路とを備え、
前記帯電側波形成形回路の前段に分周回路を設け、現像側波形成形回路の前段に現像側位相調整回路を設け、分周回路で分周された入力クロックを現像側位相調整回路に入力するようにし、
前記分周回路の後段に帯電側位相調整回路を設け、帯電側位相調整回路と現像側位相調整回路の出力を互いに相手方の位相調整回路に入力するようにしたことを特徴とする高圧電源装置。
【請求項２】
感光体を帯電させる帯電器と、感光体上の静電潜像を可視像化する現像器に高圧交流出力を印加するための高圧電源装置において、
外部より入力クロックが供給されるクロック供給回路と、クロック供給回路に接続される帯電側波形成形回路及び現像側波形成形回路とを備え、
前記帯電側波形成形回路と現像側波形成形回路の前段にそれぞれ分周回路を設け、かつ帯電側、現像側それぞれの分周回路の後段に、帯電側位相調整回路及び現像側位相調整回路を設け、帯電側位相調整回路と現像側位相調整回路の出力を互いに相手方の位相調整回路に入力するようにしたことを特徴とする高圧電源装置。
【発明の詳細な説明】
【０００１】
【発明の属する技術分野】
本発明は、電子写真プロセスを有する画像形成装置に用いられる高圧電源装置に関し、より具体的には感光体を帯電させる帯電器と、感光体上の静電潜像を可視像化する現像器に高圧交流出力を印加するための高圧電源装置に関する。
【０００２】
【従来の技術】
電子写真プロセスを有する画像形成装置においては、感光体上を帯電器により一様に帯電させ、原稿像の光書き込みを行う。また光書き込みにより感光体上に形成された静電潜像を現像器で現像して可視像を得る。帯電器には感光体を帯電させるための高圧交流出力が印加され、現像器には現像バイアスのための高圧交流出力が印加される。ここで各高圧交流出力はマイナスの直流電圧に重畳されたものである。
【０００３】
この高圧交流出力を生成する高圧電源装置に関しては、例えば特開平６−１９４９０８号公報に、画像形成装置の感光体に当接して感光体を帯電させる帯電器への高圧交流出力と、感光体上に形成された静電潜像を可視像とするための現像器への高圧交流出力を、同一クロックより生成する技術が示されている。
【０００４】
【発明が解決しようとする課題】
画像形成装置においては、上述したように帯電器及び現像器に高圧電源装置から直流電圧に重畳された高圧交流出力が印加されるが、この際、帯電器及び現像器から騒音が発生するという問題がある。また帯電器と現像器の高圧交流出力波形が干渉すると、画像に干渉縞が発生する問題がある。
【０００５】
そこで本発明は、干渉縞をなくし、帯電器、現像器からの騒音を防ぐことができる高圧電源装置を提供することを目的とする。
【０００６】
【課題を解決するための手段】
上記目的を達成するために、請求項１記載の発明は、感光体を帯電させる帯電器と、感光体上の静電潜像を可視像化する現像器に高圧交流出力を印加するための高圧電源装置において、外部より入力クロックが供給されるクロック供給回路と、クロック供給回路に接続される帯電側波形成形回路及び現像側波形成形回路とを備え、前記帯電側波形成形回路の前段に分周回路を設け、現像側波形成形回路の前段に現像側位相調整回路を設け、分周回路で分周された入力クロックを現像側位相調整回路に入力するようにし、前記分周回路の後段に帯電側位相調整回路を設け、帯電側位相調整回路と現像側位相調整回路の出力を互いに相手方の位相調整回路に入力するようにしたことを特徴とするものである。
【００１０】
また請求項２記載の発明は、感光体を帯電させる帯電器と、感光体上の静電潜像を可視像化する現像器に高圧交流出力を印加するための高圧電源装置において、外部より入力クロックが供給されるクロック供給回路と、クロック供給回路に接続される帯電側波形成形回路及び現像側波形成形回路とを備え、前記帯電側波形成形回路と現像側波形成形回路の前段にそれぞれ分周回路を設け、かつ帯電側、現像側それぞれの分周回路の後段に、帯電側位相調整回路及び現像側位相調整回路を設け、帯電側位相調整回路と現像側位相調整回路の出力を互いに相手方の位相調整回路に入力するようにしたことを特徴とするものである。
【００１１】
本発明では、帯電側波形成形回路と現像側波形成形回路の高圧交流出力波形の位相を位相調整回路により調整する（例えば同期をとる、１／４周期ずらす、１／８周期ずらす）ようにしたので、帯電器、現像器からの騒音が防止され、また負荷の突入交流電流が軽減され、さらに画像の干渉縞がなくなる。
【００１２】
【発明の実施の形態】
以下、本発明の実施の形態を図面に従って説明する。
尚、後述する第１〜６の実施の形態のうち、第１、２、４、５の実施の形態は、本発明における比較例に相当する。
図１は画像形成装置用の高圧電源装置のブロックと画像形成部を示す図である。入力クロック（ｆ）１が入力される高圧電源装置２は、クロック供給回路２０１と、帯電高圧交流出力波形を成形する帯電側波形成形回路（以下、Ａ回路）２０２と、現像高圧交流出力波形を成形する現像側波形成形回路（以下、Ｂ回路）２０３とを備えている。感光体４の周囲にはローラ型の帯電器３とローラ型の現像器５が配置されており、Ａ回路２０２は帯電器３に、またＢ回路２０３は現像器５にそれぞれ接続されている。
【００１３】
入力クロック１を外部から高圧電源装置２のクロック供給回路２０１に入力し、クロック供給回路２０１から出力される帯電高圧交流出力クロックをＡ回路２０２へ供給する。そしてここで生成された高圧交流出力を帯電器３を介し感光体４に付与し、感光体４を帯電させる。
【００１４】
また同様に、クロック供給回路２０１から出力される現像高圧交流出力クロックもＢ回路２０３へ供給され、ここで生成された高圧交流出力を現像器５に供給し、感光体４上に形成された静電潜像を可視像化する。
【００１５】
図２は本発明の第１の実施の形態を示す高圧電源装置の要部ブロック図である。
図１のクロック供給回路２０１の現像側クロックラインには現像側位相調整回路２０１ａが設けられる。このような構成において、入力クロック１が、クロック供給回路２０１の現像側クロックラインに供給され、現像側位相調整回路２０１ａへ入力される。入力クロック１は、現像側位相調整回路２０１ａにおいて予め設定された任意の位相と比較演算され、設定した任意の位相に調整されて、Ｂ回路２０３へ供給される。なお、帯電側クロックラインに位相調整回路を設けてもよい。
【００１６】
図３は本発明の第２の実施の形態を示す高圧電源装置の要部ブロック図である。
この図は図１における高圧電源装置２のクロック供給回路２０１の内部回路を示すものであり、入力クロック１が、クロック供給回路２０１に入力され、帯電側クロックラインにある分周回路２０１ｂと現像側クロックラインにある現像側位相調整回路２０１ａに入力される。
【００１７】
帯電高圧交流出力用クロックは、分周回路２０１ｂにより任意の値に分周され、Ａ回路２０２へ供給される。また、任意の値に分周された帯電高圧交流出力用クロックは、現像側位相調整回路２０１ａへも入力されている。
【００１８】
ここで現像側位相調整回路２０１ａの動作例を説明する。
まず第１の動作例では、現像側位相調整回路２０１ａにおいて入力クロック１は、帯電高圧交流出力用クロックの位相と比較演算され、位相同期調整が行われた後、現像高圧交流出力用クロックとしてＢ回路２０３へ供給される。
【００１９】
次に第２の動作例では、入力クロック１は、分周された帯電高圧交流出力用クロックと比較演算され、１／４周期の位相差を保持させた後、現像高圧交流出力用クロックとしてＢ回路２０３へ供給される。
【００２０】
次に第３の動作例では、入力クロック１は、分周された帯電高圧交流出力用クロックと比較演算され、１／８周期の位相差を保持させた後、現像高圧交流出力用クロックとしてＢ回路２０３へ供給される。
【００２１】
図４は本発明の第３の実施の形態を示す高圧電源装置の要部ブロック図である。
この実施の形態は、帯電側クロックラインにおいて、分周回路２０１ｂの下段に帯電側位相調整回路２０１ｃを設け、現像側クロックラインの現像側位相調整回路２０１ａとの間で、それぞれの位相調整後のクロックをフィードバックし合うように構成したものである。
【００２２】
即ち、帯電側クロックラインの帯電側位相調整回路２０１ｃに入力された分周クロックは、予め設定された任意の位相に調整された上で、帯電高圧交流出力用クロックとしてＡ回路２０２に入力される。
【００２３】
一方、帯電側位相調整回路２０１ｃの出力は、現像側クロックラインの現像側位相調整回路２０１ａにも入力される。現像側位相調整回路２０１ａにおいて、入力クロック１は、任意の位相に調整された分周クロックと比較演算され、位相同期調整を行った後、あるいは任意に設定された位相差（例えば１／４周期、あるいは１／８周期）を保持させて現像高圧交流出力用クロックとしてＢ回路２０３に供給される。
【００２４】
図５は帯電高圧交流出力用クロック（符号ａで示す）と現像高圧交流出力用クロック（符号ｂで示す）が位相同期している例を示す波形図、図６は同じく１／４周期の位相差を持たせた例を示す波形図、図７は同じく１／８周期の位相差を持たせた例を示す波形図である。
【００２５】
符号ａで示すクロックは−Ｅ１の直流に交流が重畳されており、符号ｂで示すクロックは−Ｅ２の直流に交流が重畳されている。−Ｅ１と−Ｅ２の絶対値の大小の関係は、
｜−Ｅ１｜＞｜−Ｅ２｜である。
【００２６】
図８は本発明の第４の実施の形態を示す高圧電源装置の要部ブロック図である。
この実施の形態は、クロック供給回路２０１の現像側クロックラインに分周回路２０１ｄと現像側位相調整回路２０１ａを設けたものである。
【００２７】
この回路構成において、入力クロック１がクロック供給回路２０１の現像側クロックラインへ供給され、分周回路２０１ｄへ入力される。入力クロック１は、分周回路２０１ｄで設定された目標周波数値に変換された後、現像側位相調整回路２０１ａへ入力される。
【００２８】
入力されたクロックは、現像側位相調整回路２０１ａにおいて入力クロック位相と比較演算され、設定した任意の位相に調整されてＢ回路２０３へ供給される。
【００２９】
図９は本発明の第５の実施の形態を示す高圧電源装置の要部ブロック図である。
この実施の形態は、クロック供給回路２０１の帯電側クロックラインに分周回路２０１ｂを設け、一方、現像側クロックラインに分周回路２０１ｄと現像側位相調整回路２０１ａを設けたものである。
【００３０】
この回路構成において、入力クロック１がクロック供給回路２０１に入力され、帯電側クロックラインにある分周回路２０１ｂと現像側クロックラインにある分周回路２０１ｄに入力される。
【００３１】
現像側内部回路に入力された入力クロック１は、設定された目標周波数値に分周された後、現像側位相調整回路２０１ａへ入力される。帯電高圧交流出力用クロックは、分周回路２０１ｂにより任意の値に分周され、Ａ回路２０２へ供給される。
【００３２】
また任意の値に分周された帯電高圧交流出力用クロックは、現像側位相調整回路２０１ａへも供給されており、分周された現像高圧交流出力用クロックは、分周された交流出力用クロックとしてＢ回路２０３へ供給される。
【００３３】
ここで、図６に示すように帯電高圧交流出力用クロックと現像高圧交流出力用クロックに１／４周期の位相差を持たせることもできるし、図７に示すように両クロックに１／８周期の位相差を持たせることもできる。
【００３４】
図１０は本発明の第６の実施の形態を示す高圧電源装置の要部ブロック図である。
この実施の形態は、帯電側クロックラインにおいて、分周回路２０１ｂの下段に帯電側位相調整回路２０１ｃを設け、かつ現像側クロックラインにおいて、分周回路２０１ｄの下段に現像側位相調整回路２０１ａを設けたものである。そして帯電側位相調整回路２０１ｃと現像側位相調整回路２０１ａとの間で、それぞれの位相調整後のクロックをフィードバックし合うように構成したものである。
【００３５】
この回路構成において、入力クロック１がクロック供給回路２０１に入力され、帯電側クロックラインにある分周回路２０１ｂと現像側クロックラインにある分周回路２０１ｄに入力される。
【００３６】
帯電高圧交流出力用クロックは、分周回路２０１ｂにより任意の値に分周され、帯電側位相調整回路２０１ｃへ入力される。入力された分周クロックは帯電側位相調整回路２０１ｃにおいて、入力された分周クロック位相と比較演算された後、同様に帯電側位相調整回路２０１ｃへ入力される現像高圧交流出力用クロックと比較演算され、任意に設定された位相に調整された後、帯電高圧交流出力用クロックとしてＡ回路２０２へ供給される。
【００３７】
また現像高圧交流出力用クロックは、分周回路２０１ｄにより任意の値に分周され、現像側位相調整回路２０１ａへ入力される。入力された分周クロックは、現像側位相調整回路２０１ａにおいて、入力された分周クロック位相と比較演算された後、同様に現像側位相調整回路２０１ａへ入力される帯電高圧交流出力用クロックと比較演算され、任意に設定された位相に調整された後、現像高圧交流出力用クロックとしてＢ回路２０３へ供給される。
【００３８】
帯電高圧交流出力用クロックと現像高圧交流出力用クロックとは、上述の如く例えば、１／４周期、あるいは１／８周期の位相差が保持されている。
【００３９】
【発明の効果】
本発明によれば、帯電側波形成形回路と現像側波形成形回路の高圧交流出力波形の位相を位相調整回路により調整する（例えば同期をとる、１／４周期ずらす、１／８周期ずらす）ようにしたので、帯電器、現像器からの騒音を防止することができ、また負荷の突入交流電流を軽減し、さらに画像の干渉縞をなくす効果もある。
【図面の簡単な説明】
【図１】画像形成装置用の高圧電源装置のブロックと画像形成部を示す図である。
【図２】本発明の第１の実施の形態を示す高圧電源装置の要部ブロック図である。
【図３】本発明の第２の実施の形態を示す高圧電源装置の要部ブロック図である。
【図４】本発明の第３の実施の形態を示す高圧電源装置の要部ブロック図である。
【図５】帯電高圧交流出力用クロックと現像高圧交流出力用クロックが位相同期している例を示す波形図である。
【図６】帯電高圧交流出力用クロックと現像高圧交流出力用クロックに１／４周期の位相差を持たせた例を示す波形図である。
【図７】帯電高圧交流出力用クロックと現像高圧交流出力用クロックに１／８周期の位相差を持たせた例を示す波形図である。
【図８】本発明の第４の実施の形態を示す高圧電源装置の要部ブロック図である。
【図９】本発明の第５の実施の形態を示す高圧電源装置の要部ブロック図である。
【図１０】本発明の第６の実施の形態を示す高圧電源装置の要部ブロック図である。
【符号の説明】
１  入力クロック
２  高圧電源装置
３  帯電器
４  感光体
５  現像器
２０１  クロック供給回路
２０１ａ  現像側位相調整回路
２０１ｂ、２０１ｄ  分周回路
２０１ｃ  帯電側位相調整回路
２０２  帯電側波形成形回路（Ａ回路）
２０３  現像側波形成形回路（Ｂ回路）
【図１】
0004098468.tif 000002
【図２】
0004098468.tif 000003
【図３】
0004098468.tif 000004
【図４】
0004098468.tif 000005
【図５】
0004098468.tif 000006
【図６】
0004098468.tif 000007
【図７】
0004098468.tif 000008
【図８】
0004098468.tif 000009
【図９】
0004098468.tif 000010
【図１０】
0004098468.tif 000011